(57)【要約】【課題】端末器交換の際に、簡易・迅速かつ正確に特性データのコピーを行うことができるデータ設定装置を提供する。【解決手段】書換え可能な記憶部２２を有する火災感知器２０の記憶部２２に記憶された特性データを一括して読み込む読込手段（ＣＰＵ８及びコピープログラム）と、この読込手段によって読み込んだ特性データを、書換え可能な記憶部３２を有する火災感知器３０の記憶部３２に一括して書き込む書込手段（ＣＰＵ８及びコピープログラム）と、を備えるデータ設定装置１である。【選択図】        図６
2004220144.tif 000002
【特許請求の範囲】
【請求項１】
書換え可能な記憶部を有する一の端末器の前記記憶部に記憶された特性データを一括して読み込む読込手段と、
前記読込手段によって読み込んだ特性データを、書換え可能な記憶部を有する他の端末器の前記記憶部に一括して書き込む書込手段と、
を備えることを特徴とするデータ設定装置。
【請求項２】
特性データが読み込まれる一の端末器の種別と、特性データが書き込まれる他の端末器の種別と、が一致するか否かを判定する種別判定手段と、
前記種別判定手段により前記一の端末器の種別と前記他の端末器の種別とが一致すると判定された場合にのみ特性データの読込及び書込を行うように前記読込手段及び前記書込手段を制御する読込・書込制御手段と、
を備えることを特徴とする請求項１に記載のデータ設定装置。
【請求項３】
特性データに含まれる一部のデータの読込を禁止する一部読込禁止手段、及び／又は、特性データに含まれる一部のデータの書込を禁止する一部書込禁止手段を備えることを特徴とする請求項１又は２に記載のデータ設定装置。
【請求項４】
書き込まれる特性データが存在しない場合又は特性データに異常がある場合に、前記書込手段による書込みを禁止する書込禁止手段を備えることを特徴とする請求項１から３の何れか一項に記載のデータ設定装置。
【請求項５】
前記読込手段によって読み込んだ特性データの編集を可能とするデータ編集手段を備えることを特徴とする請求項１から４の何れか一項に記載のデータ設定装置。
【請求項６】
前記読込手段によって読み込んだ特性データを記憶する記憶手段を備えることを特徴とする請求項１から５の何れか一項に記載のデータ設定装置。
【発明の詳細な説明】
【０００１】
【発明の属する技術分野】
本発明は、データ設定装置に関し、特に、一の端末器から他の端末器へのデータコピーを実現させるデータ設定装置に関する。
【０００２】
【従来の技術】
現在、防災活動を目的として、煙感知器や熱感知器等の火災感知器、受信機と火災感知器を中継する中継器、防火扉等の防排煙機器、発信機、等の各種端末器を備えた防災システムが提案されている。かかる防災システムの立ち上げ時や保守点検時においては、全ての端末器を新しく設置したり、不具合が発生した端末器を新規な端末器に交換したりするが、この際、端末器の初期設定を行う必要がある。
【０００３】
このような端末器の初期設定を現場で手作業により行うと、その作業量はきわめて膨大となるため、近年においては、自己の特性を示す特性データをあらかじめ記憶させた記憶部を備える端末器が提案されている（例えば、特許文献１参照。）。かかる端末器を使用することにより、前記した初期設定作業が大方不要となるため、防災システムの立ち上げ時や保守点検時における作業量を軽減することができる。
【０００４】
【特許文献１】
特開２００２−６４８８７号公報（第３頁−第６頁、第１図−第４図）
【０００５】
【発明が解決しようとする課題】
ところで、前記した特許文献１に記載の端末器に不具合が発生し、新規な端末器に交換する必要が生じた場合には、不具合が発生した元の端末器の記憶部の特性データと同一のデータを、新規な端末器の記憶部にコピーする必要がある。
【０００６】
従来は、元の端末器から新規な端末器への特性データのコピーを行うために、元の端末器の記憶部から特性データを一つ一つ手作業で読み込み、この読み込んだ特性データを新規な端末器の記憶部に一つ一つ手作業で書き込む、という作業を行っていた。このため、データコピー作業に時間がかかる上に、人為的なミスが発生し易いという問題があった。
【０００７】
本発明の課題は、端末器交換の際に、簡易・迅速かつ正確に特性データのコピーを行うことができるデータ設定装置を提供することである。
【０００８】
【課題を解決するための手段】
以上の課題を解決するため、請求項１に記載の発明は、
データ設定装置であって、
書換え可能な記憶部を有する一の端末器の前記記憶部に記憶された特性データを一括して読み込む読込手段と、
前記読込手段によって読み込んだ特性データを、書換え可能な記憶部を有する他の端末器の前記記憶部に一括して書き込む書込手段と、
を備えることを特徴とする。
【０００９】
請求項１に記載の発明によれば、読込手段により、一の端末器の記憶部に記憶された特性データを一括して読み込むことができる。そして、読み込んだ特性データを、書込手段により、他の端末器の記憶部に一括して書き込むことができる。従って、一の端末器から他の端末器に交換する際に、簡易かつ迅速に特性データのコピーを行うことができる。また、従来のように手作業でデータの読込・書込を行う必要がないので、人為的なミスの発生を防ぐことができ、特性データのコピーを正確に行うことができる。
【００１０】
請求項２に記載の発明は、請求項１に記載のデータ設定装置において、
特性データが読み込まれる一の端末器の種別と、特性データが書き込まれる他の端末器の種別と、が一致するか否かを判定する種別判定手段と、
前記種別判定手段により前記一の端末器の種別と前記他の端末器の種別とが一致すると判定された場合にのみ特性データの読込及び書込を行うように前記読込手段及び前記書込手段を制御する読込・書込制御手段と、
を備えることを特徴とする。
【００１１】
請求項２に記載の発明によれば、特性データが読み込まれる一の端末器の種別と、特性データが書き込まれる他の端末器の種別と、が一致する場合にのみ特性データの読込及び書込を行うことができる。従って、同一種別の端末器にのみ特性データをコピーすることができるとともに、種別が異なる端末器に特性データがコピーされるのを防ぐことができる。すなわち、同一種別の端末器に対して同一の特性データを確実にコピーすることができるので、コピー作業の信頼性を高めることができる。
【００１２】
請求項３に記載の発明は、請求項１又は２に記載のデータ設定装置において、特性データに含まれる一部のデータの読込を禁止する一部読込禁止手段、及び／又は、特性データに含まれる一部のデータの書込を禁止する一部書込禁止手段を備えることを特徴とする。
【００１３】
請求項３に記載の発明によれば、一部読込禁止手段及び／又は一部書込禁止手段により、特性データに含まれる一部のデータの読込及び／又は書込を禁止することができる。従って、変更が望まれない一部のデータをそのまま保持することができ、変更が望まれない一部のデータがコピー動作により誤って変更してしまうのを防ぐことができる。
【００１４】
請求項４に記載の発明は、請求項１から３の何れか一項に記載のデータ設定装置において、
書き込まれる特性データが存在しない場合又は特性データに異常がある場合に、前記書込手段による書込みを禁止する書込禁止手段を備えることを特徴とする。
【００１５】
請求項４に記載の発明によれば、書き込まれる特性データが存在しない場合又は特性データに異常がある場合に、書込手段による書込みを禁止することができる。従って、例えば、コピー元の端末器と、コピー先の端末器と、を取り違えた場合においても、コピー元の端末器の特性データを誤って消去することがない。すなわち、特性データを有しないコピー先の端末器から読込を行った状態（特性データが存在しない状態）で、特性データを有するコピー元の端末器に書込を行ってコピー元の特性データを消去する、という事態を未然に防ぐことができる。この結果、コピー作業の信頼性を高めることができる。
【００１６】
請求項５に記載の発明は、請求項１から４の何れか一項に記載のデータ設定装置において、
前記読込手段によって読み込んだ特性データの編集を可能とするデータ編集手段を備えることを特徴とする。
【００１７】
請求項５に記載の発明によれば、データ編集手段により、読込手段によって読み込んだ特性データの編集が可能となるので、種々の状況に応じて適切に特性データを変更することができる。
【００１８】
請求項６に記載の発明は、請求項１から５の何れか一項に記載のデータ設定装置において、
前記読込手段によって読み込んだ特性データを記憶する記憶手段を備えることを特徴とする。
【００１９】
請求項６に記載の発明によれば、記憶手段に、読込手段によって読み込まれた特性データを記憶することができる。従って、記憶手段に記憶した特性データを利用して、複数の端末器に連続して特性データを書き込むことができる。
【００２０】
【発明の実施の形態】
以下、本発明の実施の形態について、図面を参照しながら説明する。
【００２１】
まず、本実施の形態に係るデータ設定装置１の構成について、図１から図３を用いて説明する。図１は、データ設定装置１の外観を示すものであり、（ａ）はその斜視図、（ｂ）はその平面図、（ｃ）はその右側面図である。図２は、データ設定装置１にドーム型形状を有する火災感知器２０を取り付けた状態を示す斜視図である。図３は、データ設定装置１及び火災感知器２０の機能的構成を説明するためのブロック図である。
【００２２】
データ設定装置１は、図１に示すように、開閉可能な蓋体３を有する筐体２、蓋体３に設けられたベース４、液晶表示器５、操作スイッチ６及びキー操作部７、筐体２内部に設けられた（図示していない）電池及び回路基板、等を備えて構成されている。これらベース４、液晶表示器５、操作スイッチ６及びキー操作部７は、筐体２内部の回路基板に設けられたＣＰＵ８（図３参照：後述）に電気的に接続されている。
【００２３】
筐体２は、図１に示すような直方体形状を有しており、その幅は、ドーム型形状を有する火災感知器２０の径よりも若干大きくされている（図２参照）。蓋体３は、ヒンジ３ａを介して筐体２に開閉可能に取り付けられており、その表面に、ベース４、液晶表示器５、操作スイッチ６及びキー操作部７を備えている。
【００２４】
ベース４は、火災感知器２０を取り付けるための部品であり、図１に示すように、火災感知器２０の接続端子に電気的に接続可能な接続端子４ａを有している。また、ベース４の平面形状は、火災感知器２０の平面形状に対応するように真円形状とされている。
【００２５】
液晶表示器５は、各種処理に係る表示を行うためのものである。操作スイッチ６は、データ設定装置１の電源を投入するためのスイッチである。キー操作部７は、各種処理を行わせる所定のコマンドを入力するためのものである。本実施の形態においては、キー操作部７としてテンキーを採用している。キー操作部７によって所定のコマンドを入力すると、その入力されたコマンドが液晶表示器５に表示される。
【００２６】
また、データ設定装置１は、図３に示すように、ＣＰＵ８、ＲＯＭ９、ＲＡＭ１０及びＩ／Ｆ１１等を備えている。
【００２７】
ＣＰＵ８は、データ設定装置１全体を統合制御するものである。ＲＯＭ９は、データ設定装置１自身を制御するための各種制御プログラムや各種データを格納するメモリである。ＲＡＭ１０は、プログラムを実行する際の作業領域として機能するとともに、制御プログラムによって生成したデータや、Ｉ／Ｆ１１を介して読み込まれた火災感知器２０の記憶部２２内の特性データを一時的に記憶するメモリである。すなわち、ＲＡＭ１０は、本発明における記憶手段である。これらＣＰＵ８、ＲＯＭ９及びＲＡＭ１０は、筐体２内の回路基板に設けられている。
【００２８】
Ｉ／Ｆ１１は、データ設定装置１のＣＰＵ８と、火災感知器２０のコマンド識別部２１と、のデータ通信を実現させる装置である。
【００２９】
次に、図３を用いて、火災感知器２０の機能的構成について説明する。火災感知器２０は、本発明における端末器である。
【００３０】
火災感知器２０は、１チップの集積回路（制御回路）を内蔵しており、この集積回路は、図３に示すように、コマンド識別器２１、記憶部２２、検出部２３、Ａ／Ｄ変換部２４、デジタル出力部２５、デジタル入力部２６、Ｉ／Ｆ２７、等を備えている。
【００３１】
コマンド識別部２１は、Ｉ／Ｆ２７を介してデータ設定装置１から送信されるコマンド情報を識別し、そのコマンドの内容に応じて、記憶部２２、Ａ／Ｄ変換部２４、デジタル出力部２５、デジタル入力部２６の各々に所定の信号を送出するものである。
【００３２】
記憶部２２は、火災感知器２０自身の動作に必要な各種データ（特性データ）を記憶するものであり、記憶内容を電気的に書き換えることができる不揮発のＥＥＰＲＯＭと、一時的な記憶が可能なＲＡＭと、から構成されている。記憶部２２は、コマンド識別部２１からの要求に基づいて、格納している所定のデータを出力する。ＥＥＰＲＯＭは、１２８×８ビットの容量を有し、１バイト（８ビット）毎に１つのメモリアドレスが付与されており、所定のメモリアドレスに特性データが格納されている。
【００３３】
検出部２３は、熱、煙、炎、一酸化炭素、等の物理量を検出するものである。Ａ／Ｄ変換部２４は、コマンド識別部２１からの信号変換指令が与えられると、検出部２３で検出した物理量（アナログ信号）をデジタル信号に変換して、出力するものである。
【００３４】
デジタル出力部２５は、コマンド識別部２１からの指令を受けて、例えば表示灯の点灯や、ベルの鳴動といった動作のためにデジタル信号を出力するものである。デジタル入力部２６は、コマンド識別部２１の指令により、図示されていない受信機側へ送信するためのデジタル値を取り込むものである。取り込まれるデジタル値としては、火災検出の際に収集したデジタルデータや、動作状態を示すデジタルデータ等が挙げられる。
【００３５】
Ｉ／Ｆ２７は、コマンド識別部２１と、データ設定装置１のＣＰＵ８と、のデータ通信を実現させる装置である。
【００３６】
続いて、図４を用いて、火災感知器２０の記憶部２２に格納された特性データについて説明する。図４は、火災感知器２０の記憶部２２のＥＥＰＲＯＭに格納された特性データの一例を示す図である。
【００３７】
ＥＥＰＲＯＭのメモリアドレスのうち、「０×０１」には、煙感知器、熱感知器、熱煙複合型感知器、等を区別するための端末器種別が書き込まれている。「０×０２」には、アナログデータを収集する検出素子が書き込まれている。検出素子としては、熱検出素子、煙検出素子、炎検出素子、一酸化炭素検出素子等が挙げられる。
【００３８】
「０×０３〜０×０６」には、「０×０２」に書き込まれた検出素子に係る具体的なデータが書き込まれている。ここで、「０×０３」の「正常時の値」とは、通常監視状態時に検出素子から出力されるアナログデータの大きさである。また、「０×０４」の「感度」とは、火災であると判断するときのアナログデータの大きさである。例えば、検出素子が熱感知器のサーミスタ（熱検出素子）であれば、例えば２５℃に相当する電圧値を「０×０３」の「正常時の値」とし、５７℃に相当する電圧値を「０×０４」の「感度」の値として書き込むことができる。
【００３９】
また、「０×０５」の「故障（高）」とは、ここに書き込まれた値以上の値が検出された場合を「故障」と判断するための閾値であり、「０×０６」の「故障（低）」とは、ここに書き込まれた値以下の値が検出された場合を「故障」と判断するための閾値である。
【００４０】
「０×０７」には、図示していない受信機と火災感知器２０との伝送速度を決定するための値が書き込まれている。「０×０８〜０×０Ｃ」には、その他の各種設定データが書き込まれている。「０×０Ｄ」には、図示していない受信機からの呼出に応答するための応答アドレスが書き込まれている。「０×０Ｅ」には、顧客コードが書き込まれている。顧客コードを特定の値に設定することにより、ＥＥＰＲＯＭへのアクセスを制限することができる。「０×０Ｆ」には、火災感知器２０に固有の製造順の番号である製造番号が書き込まれている。
【００４１】
次に、本実施の形態に係るデータ設定装置１を用いて、コピー元の端末器である火災感知器２０の特性データを、コピー先の端末器である火災感知器３０（火災感知器４０）にコピーする際の動作（以下、「データコピー動作」とう）について、図５及び図６を用いて説明する。図５及び図６は、データコピー動作を説明するためのフローチャート及びブロック図である。
【００４２】
なお、コピー先の端末器である火災感知器３０（火災感知器４０）は、図６及び図７に示すように、火災感知器２０の構成と実質的に同一の構成であるコマンド識別器３１（４１）、記憶部３２（４２）、検出部３３（４３）、Ａ／Ｄ変換部３４（４４）、デジタル出力部３５（４５）、デジタル入力部３６（４６）、Ｉ／Ｆ３７（４７）、等を備えている。
【００４３】
まず、作業者は、操作スイッチ６を操作してデータ設定装置１の電源を投入し、キー操作部７の操作により、ＲＯＭ９内に格納されたコピープログラムをＣＰＵ８の制御の下に起動して、コピー作業の準備を行う（コピープログラム起動工程：Ｓ１）。コピープログラムは、ＣＰＵ８によって起動・実行されることにより、データ設定装置１に接続された端末器から特性データを一括して読み込むとともに、データ設定装置１に接続された端末器に特性データを一括して書き込むという機能を果たすプログラムである。すなわち、ＣＰＵ８及びコピープログラムは、本発明における読込手段及び書込手段である。
【００４４】
次いで、作業者は、データ設定装置１のベース４に、コピー元の端末器である火災感知器２０を取り付けて、データ設定装置１のＣＰＵ８と、火災感知器２０のコマンド識別部２１とを電気的に接続する（図６参照）。そして、データ設定装置１の液晶表示器５を視認しながらキー操作部７を操作することにより、火災感知器２０をコピー元の端末器として設定する（コピー元設定工程：Ｓ２）。コピー元の端末器として火災感知器２０が設定されると、データ設定装置１のＣＰＵ８は、ＲＯＭ９内のマスク判定プログラムを起動して、火災感知器２０にマスク設定がなされているか否かを判定する（読込時マスク判定工程：Ｓ３）。
【００４５】
ここで、「マスク設定」とは、火災感知器２０の記憶部２２のＥＥＰＲＯＭに書き込まれた特性データのうち特定メモリアドレスに書き込まれたデータの読込を禁止するとともに、特定メモリアドレスへのデータの書込を禁止する処理（マスク処理）を行う機能である。マスク設定は、コマンド識別部２１により行われる。
【００４６】
読込時マスク判定工程Ｓ３において、火災感知器２０にマスク設定がなされていないと判定された場合には、データ設定装置１のＣＰＵ８は、コピープログラムの実行により、火災感知器２０の記憶部２２のＥＥＰＲＯＭに書き込まれた特性データ全てをＩ／Ｆ２７及びＩ／Ｆ１１を介して一括して読みこみ、ＲＡＭ１０に記憶させる（特性データ読込工程：Ｓ４）。
【００４７】
一方、読込時マスク判定工程Ｓ３において、火災感知器２０にマスク設定がなされていると判定された場合には、データ設定装置１のＣＰＵ８は、コピープログラムの実行により、読込が禁止されているデータ以外の特性データを読み込み、ＲＡＭ１０に記憶させる（マスク処理工程：Ｓ３ａ、特性データ読込工程：Ｓ４）。読込が禁止されるデータ（マスクデータ）としては、図４に示した「０×０１」の端末器種別、「０×０Ｅ」の顧客コード、「０×０Ｆ」の製造番号、等を挙げることができる。
【００４８】
次いで、データ設定装置１のＣＰＵ８は、ＲＯＭ９内に格納されたチェックプログラムを起動させて、ＲＡＭ１０に記憶された特性データに異常があるか否かを判定する（データ異常判定工程：Ｓ５）。
【００４９】
データ異常判定工程Ｓ５において特性データに異常がないと判定された場合には、ＣＰＵ８は、その旨を液晶表示器５に表示する。作業者は、かかる表示を確認して、データ設定装置１のベース４から火災感知器２０を取り外すとともに、ベース４にコピー先の端末器である火災感知器３０を取り付けて、データ設定装置１のＣＰＵ８と、火災感知器３０のコマンド識別部３１と、を電気的に接続する（図６参照）。そして、キー操作部７の操作により、火災感知器３０をコピー先の端末器として設定する（コピー先設定工程：Ｓ６、図６参照）。
【００５０】
一方、データ異常判定工程Ｓ５において特性データに異常があると判定された場合には、ＣＰＵ８は、その旨を液晶表示器５に表示するとともに、ＲＡＭ１０に記憶された特性データを消去して（データ消去工程：Ｓ１１）、コピー作業を終了する。
【００５１】
コピー先設定工程Ｓ６において、コピー先の端末器として火災感知器３０が設定されると、データ設定装置１のＣＰＵ８は、ＲＯＭ９内の種別判定プログラムを起動して、コピー元の端末器である火災感知器２０の種別と、コピー先の端末器である火災感知器３０の種別と、が一致しているか否かを判定する（種別判定工程：Ｓ７）。すなわち、ＣＰＵ８及び種別判定プログラムは、本発明における種別判定手段である。
【００５２】
種別判定工程Ｓ７において、コピー元の端末器である火災感知器２０の種別と、コピー先の端末器である火災感知器３０の種別と、が一致していると判定された場合には、ＣＰＵ８は、ＲＯＭ９内のマスク判定プログラムを起動して、火災感知器３０にマスク設定がなされているか否かを判定する（書込時マスク判定工程：Ｓ８）。
【００５３】
一方、種別判定工程Ｓ７において、コピー元の端末器である火災感知器２０の種別と、コピー先の端末器である火災感知器３０の種別と、が一致していないと判定された場合には、ＣＰＵ８は、その旨を液晶表示器５に表示するとともに、ＲＡＭ１０に記憶された特性データを消去して（データ消去工程：Ｓ１１）、コピー作業を終了する。すなわち、ＣＰＵ８は、本発明における読込・書込制御手段である。
【００５４】
なお、種別判定工程Ｓ７において、コピー元の端末器の種別とコピー先の端末器の種別とが一致していないと判定された場合に、ベース４に別の端末器を取り付けて再度コピー先を設定し（コピー先設定工程：Ｓ６）、コピー元の端末器の種別とコピー先の端末器の種別とが一致しているか否かを再度判定し、一致している場合に処理を続行するようにしてもよい。
【００５５】
火災感知器２０の種別と火災感知器３０の種別とが一致していると判定された後、書込時マスク判定工程Ｓ８において火災感知器３０にマスク設定がなされていないと判定された場合には、データ設定装置１のＣＰＵ８は、コピープログラムの実行により、ＲＡＭ１０に記憶された特性データを読み出し、読み出した特性データ全てを、Ｉ／Ｆ１１及びＩ／Ｆ３７を介して、火災感知器３０の記憶部３２のＥＥＰＲＯＭに一括して書き込む（特性データ書込工程：Ｓ９）。
【００５６】
一方、書込時マスク判定工程Ｓ８において、火災感知器３０にマスク設定がなされていると判定された場合には、データ設定装置１のＣＰＵ８は、コピープログラムの実行により、ＲＡＭ１０に記憶された特性データを読み出し、読み出した特性データを、Ｉ／Ｆ１１及びＩ／Ｆ３７を介して、火災感知器３０のＥＥＰＲＯＭの書込が禁止されていないメモリアドレスに書き込む（マスク処理工程：Ｓ８ａ、特性データ書込工程：Ｓ９）。書込が禁止されるメモリアドレスとしては、端末器種別が書き込まれた「０×０１」、顧客コードが書き込まれた「０×０Ｅ」、製造番号が書き込まれた「０×０Ｆ」、等を挙げることができる。
【００５７】
以上の各工程を経ることにより、コピー元の端末器である火災感知器２０の特性データを、コピー先の端末器である火災感知器３０にコピーすることができる。
【００５８】
特性データ書込工程Ｓ９を経た後、データ設定装置１のＣＰＵ８は、続けて他の端末器にデータコピーを行うか否かを確認するための表示を、液晶表示器５に表示する。作業者は、かかる表示を視認して、続けて他の端末器にデータコピーを行うか否かを判断する（コピー続行判定工程：Ｓ１０）。
【００５９】
コピー続行判定工程Ｓ１０において、続けてデータコピーを行うと判断した場合には、作業者は、データ設定装置１のベース４から火災感知器３０を取り外し、ベース４に他のコピー先の端末器である火災感知器４０を取り付けて、データ設定装置１のＣＰＵ８と、火災感知器４０のコマンド識別部４１とを電気的に接続する。そして、前記したコピー先設定工程Ｓ６、種別判定工程Ｓ７、書込時マスク判定工程Ｓ８、特性データ書込工程Ｓ９等を経て、特性データの書込作業を再度行う。
【００６０】
一方、コピー続行判定工程Ｓ１０において、続けてデータコピーを行わないと判断した場合には、作業者は、キー操作部７を操作して、ＲＡＭ１０内の記憶内容を消去し、コピー作業を終了する。
【００６１】
本実施の形態に係るデータ設定装置１においては、読込手段であるＣＰＵ８及びコピープログラムにより、火災感知器２０の記憶部２２に記憶された特性データを一括して読み込むことができる。そして、読み込んだ特性データを、書込手段であるＣＰＵ８及びコピープログラムにより、火災感知器３０（火災感知器４０）の記憶部３２（４２）に一括して書き込むことができる。
【００６２】
従って、火災感知器２０から火災感知器３０（火災感知器４０）に交換する際に、簡易かつ迅速に特性データのコピーを行うことができる。また、従来のように手作業でデータの読込・書込を行う必要がないので、人為的なミスの発生を防ぐことができ、特性データのコピーを正確に行うことができる。
【００６３】
また、本実施の形態に係るデータ設定装置１においては、ＣＰＵ８及び種別判定プログラムにより、特性データが読み込まれる火災感知器２０の種別と、特性データが書き込まれる火災感知器３０（火災感知器４０）の種別と、が一致する場合にのみ特性データの読込及び書込を行うことができる。
【００６４】
従って、同一種別の火災感知器にのみ特性データをコピーすることができるとともに、種別が異なる火災感知器に特性データがコピーされるのを防ぐことができる。すなわち、同一種別の火災感知器に対して常に同一の特性データを確実にコピーすることができるので、コピー作業の信頼性を高めることができる。
【００６５】
また、本実施の形態に係るデータ設定装置１においては、記憶手段であるＲＡＭ１０に、読み込まれた特性データを記憶することができる。従って、ＲＡＭ１０に記憶した特性データを利用して、複数の端末器（火災感知器３０及び火災感知器４０）に連続して特性データを書き込むことができる。
【００６６】
なお、本実施の形態においては、火災感知器２０から特性データの読込を行うとともに、火災感知器３０（火災感知器４０）に特性データの書込を行うデータ設定装置１について説明したが、例えば、受信機とオンオフ式の感知器を中継する中継器、防火扉などの防排煙機器、発信機、地区ベル等の他の端末器に対して特性データの読込・書込を行うデータ設定装置も、本発明に係るデータ設定装置に含まれる。
【００６７】
また、本実施の形態においては、火災感知器２０（火災感知器３０）のコマンド識別部２１（３１）及びマスクプログラムによりマスク処理を行った例を示したが、データ設定装置１側でマスク処理を行うこともできる。すなわち、データ設定装置１のＲＯＭ９にマスクプログラムを設け、ＣＰＵ８でこのマスクプログラムを起動することにより、火災感知器２０の特性データの読込を一部禁止したり、火災感知器３０（火災感知器４０）への特性データの書込を一部禁止したりすることができる。この場合におけるＣＰＵ８及びマスクプログラムは、本発明における一部読込禁止手段及び一部書込禁止手段である。
【００６８】
このような一部読込禁止手段及び一部書込禁止手段（ＣＰＵ８及びマスクプログラム）により、特性データに含まれる一部のデータの読込及び／又は書込を禁止することができる。従って、変更が望まれない一部のデータをそのまま保持することができ、変更が望まれない一部のデータがコピー動作により誤って変更してしまうのを防ぐことができる。
【００６９】
また、本実施の形態の特性データ読込工程Ｓ４とデータ異常判定工程Ｓ５との間に、読み込んだ特性データを編集する工程（データ編集工程）を介在させることもできる。特性データの編集方法としては、例えば、読み込んでＲＡＭ１０に記憶させた特性データをテキスト形式のファイルとして保存しておき、このファイルを、ＣＰＵ８によって起動されるエディタ等の編集プログラムを用いて編集する、という方法を挙げることができる。そして、このような方法で編集した特性データを、コピー先の端末器に書き込むことができる。
【００７０】
この場合におけるＣＰＵ８及び編集プログラムは、本発明におけるデータ編集手段である。このようなデータ編集手段（ＣＰＵ８及び編集プログラム）により、読み込んだ特性データの編集が可能となるので、種々の状況に応じて適切に特性データを変更することができる。なお、本実施の形態のデータ異常判定工程Ｓ５における「特性データに異常がある場合」の具体例としては、前記したような方法で編集した特性データのファイルが正常な形式でない場合、等が挙げられる。
【００７１】
また、コピー元の端末器とコピー先の端末器とを取り違えたために、コピー元であるはずの端末器から特性データが読み込まれていないような場合には、ＣＰＵ８の制御によって、コピー先となる端末器への特性データの書込作業を禁止することもできる。この場合におけるＣＰＵ８は、本発明における書込禁止手段である。
【００７２】
ＣＰＵ８をこのような書込禁止手段として機能させることにより、コピー元の端末器と、コピー先の端末器と、を取り違えた場合においても、コピー元の端末器の特性データを誤って消去することがない。すなわち、特性データを有しないコピー先の端末器（例えば火災感知器３０）から読込を行った状態（特性データが存在しない状態）で、特性データを有するコピー元の端末器（例えば火災感知器２０）に書込を行ってコピー元の特性データを消去する、という事態を未然に防ぐことができる。この結果、コピー作業の信頼性を高めることができる。
【００７３】
また、本実施の形態においては、読み込んだ特性データをＲＡＭ１０に記憶させているが、データ設定装置１の外部にメモリカード等の取り外し自在な記憶媒体を設け、かかる記憶媒体に特性データを記憶させてもよい。この場合における記憶媒体（メモリカード等）は、本発明における記憶手段として機能する。
【００７４】
また、本実施の形態においては、コピー先の端末器である火災感知器３０をデータ設定装置１のベース４に直接取り付けて特性データの書込を行った例を示したが、図７に示すように所定のケーブルＣを介してデータ設定装置１とコピー先の複数の端末器（火災感知器３０、火災感知器４０、・・・）とを接続し、このケーブルＣを介して特性データの書込を行うこともできる。
【００７５】
【発明の効果】
請求項１に記載の発明によれば、読込手段により、一の端末器の記憶部に記憶された特性データを一括して読み込むことができる。そして、読み込んだ特性データを、書込手段により、他の端末器の記憶部に一括して書き込むことができる。従って、一の端末器から他の端末器に交換する際に、簡易かつ迅速に特性データのコピーを行うことができる。また、従来のように手作業でデータの読込・書込を行う必要がないので、人為的なミスの発生を防ぐことができ、特性データのコピーを正確に行うことができる。
【００７６】
請求項２に記載の発明によれば、特性データが読み込まれる一の端末器の種別と、特性データが書き込まれる他の端末器の種別と、が一致する場合にのみ特性データの読込及び書込を行うことができる。従って、同一種別の端末器にのみ特性データをコピーすることができるとともに、種別が異なる端末器に特性データがコピーされるのを防ぐことができる。すなわち、同一種別の端末器に対して同一の特性データを確実にコピーすることができるので、コピー作業の信頼性を高めることができる。
【００７７】
請求項３に記載の発明によれば、一部読込禁止手段及び／又は一部書込禁止手段により、特性データに含まれる一部のデータの読込及び／又は書込を禁止することができる。従って、変更が望まれない一部のデータをそのまま保持することができ、変更が望まれない一部のデータがコピー動作により誤って変更してしまうのを防ぐことができる。
【００７８】
請求項４に記載の発明によれば、書き込まれる特性データが存在しない場合又は特性データに異常がある場合に、書込手段による書込みを禁止することができる。従って、例えば、コピー元の端末器と、コピー先の端末器と、を取り違えた場合においても、コピー元の端末器の特性データを誤って消去することがない。すなわち、特性データを有しないコピー先の端末器から読込を行った状態（特性データが存在しない状態）で、特性データを有するコピー元の端末器に書込を行ってコピー元の特性データを消去する、という事態を未然に防ぐことができる。この結果、コピー作業の信頼性を高めることができる。
【００７９】
請求項５に記載の発明によれば、データ編集手段により、読込手段によって読み込んだ特性データの編集が可能となるので、種々の状況に応じて適切に特性データを変更することができる。
【００８０】
請求項６に記載の発明によれば、記憶手段に、読込手段によって読み込まれた特性データを記憶することができる。従って、記憶手段に記憶した特性データを利用して、複数の端末器に連続して特性データを書き込むことができる。
【図面の簡単な説明】
【図１】本発明の実施の形態に係るデータ設定装置の外観を示すものであり、（ａ）はその斜視図、（ｂ）はその平面図、（ｃ）はその右側面図である。
【図２】図１に示したデータ設定装置に火災感知器を取り付けた状態を示す斜視図である。
【図３】図２に示したデータ設定装置及び火災感知器の機能的構成を説明するためのブロック図である。
【図４】図２に示した火災感知器の記憶部のＥＥＰＲＯＭに格納された特性データの一例を示す図である。
【図５】本発明の実施の形態に係るデータ設定装置のデータコピー動作を説明するためのフローチャートである。
【図６】本発明の実施の形態に係るデータ設定装置のデータコピー動作を説明するためのブロック図である。
【図７】本発明の実施の形態に係るデータ設定装置を用いて、複数の火災感知器にデータコピーを行う場合のブロック図である。
【符号の説明】
１    データ設定装置
８    ＣＰＵ（読込手段、書込手段、種別判定手段、読込・書込制御手段、一部読込禁止手段、一部書込禁止手段、書込禁止手段、データ編集手段）
１０    ＲＡＭ（記憶手段）
２０    火災感知器（一の端末器）
２２    記憶部
３０    火災感知器（他の端末器）
３２    記憶部
４０    火災感知器（他の端末器）
４２    記憶部
【図１】
2004220144.tif 000003
【図２】
2004220144.tif 000004
【図３】
2004220144.tif 000005
【図４】
2004220144.tif 000006
【図５】
2004220144.tif 000007
【図６】
2004220144.tif 000008
【図７】
2004220144.tif 000009